(57)【特許請求の範囲】
【請求項１】
熱可塑性の材料の密封容器（１０）であって、
（ａ）本体部分（１２）と一体になったネック部分において上端が終わる前記本体部分（１２）と、
（ｂ）前記ネック部分と一体になったスロート部分（１４）と、
（ｃ）ベースを有し、前記スロート部分（１４）の中に固定された、アクセス通路（２６）を規定する予備成形された中空のクロージャ・インサート（２０）であって、該クロージャ・インサート（２０）のベースは、容器のスロート部分（１４）における熱可塑性材料と永続的に密接に接触する粗面状の周囲部分の表面（２８）を持ち、前記表面が周囲部分の周りの均一に間隔を空けた複数のリブ（３０、１０８、１４０）によって規定され、前記リブがアクセス通路（２６）の長手軸に平行である、前記クロージャ・インサート（２０）と、
（ｄ）粗面状の周囲部分の表面（２８）より上方で、クロージャ・インサート（２０）のベースを取り囲む、周辺のこわれやすいウェブ（１８、８０、９２、１８４）を輪郭とする、前記スロート部分（１４）と一体となった、クロージャ・インサート（２０）を覆う取り外し可能なオーバーキャップ（１６）とを備え、前記複数のリブ（３０）の間は、スロート部分（１４）における熱可塑性材料によって満たされ、前記粗面状の周囲部分の表面（２８）の接触表面の実際と見かけ上の比が少なくとも３である、密封容器。
【請求項２】
前記クロージャ・インサート（２０）がサブアセンブリ（１３２）であることを特徴とする、請求項１に記載の容器。
【請求項３】
前記クロージャ・インサート（２０）がルーア・コネクタ（１０５）であることを特徴とする、請求項１に記載の容器。
【請求項４】
前記クロージャ・インサート（２０）が複数エントリのクロージャ（１３６）であることを特徴とする、請求項１に記載の容器。
【請求項５】
前記クロージャ・インサート（２０）が、ねじ式の保護キャップ（８６）を備えるノズル（８４）であることを特徴とする、請求項１に記載の容器。
【請求項６】
前記クロージャ・インサート（２０）が、ガイド・スカート（１２６）に囲まれたトランスファ・スパイク（１２４）を含むことを特徴とする、請求項１に記載の容器。
【請求項７】
前記の取り外し可能なオーバーキャップ（１６）が、中空であり、前記クロージャ・インサート（２０）から間隔をおいていることを特徴とする、請求項１に記載の容器。
【請求項８】
前記の取り外し可能なオーバーキャップ（１６）が、クロージャ・インサート（２０）の取り外し可能な部分と密接に接触していることを特徴とする、請求項１に記載の容器。
【請求項９】
前記クロージャ・インサート（２０）が、前記スロート部分の中に固定されたベース部材（１３４）と、前記ベース部材（１３４）に取り外し可能な状態で固定された複数エントリのクロージャ部材（１３６）とを含むサブアセンブリ（１３２）であることを特徴とする、請求項２に記載の容器。
【請求項１０】
熱可塑性材料の密封容器（１０）であって、
（ａ）本体部分（１２）と一体になったネック部分において上端が終わる前記本体部分（１２）と、
（ｂ）前記ネック部分と一体になったスロート部分（１４２）と、
（ｃ）前記スロート部分（１４２）の中に固定されたベース部材（１３４）、および前記ベース部材（１３４）に取り外し可能に固定された複数エントリのクロージャ部材（１３６）を含む、アクセス通路（１６２）を規定するクロージャ・インサート・サブアセンブリ（１３２）とを備え、前記ベース部材（１３４）が、熱可塑性の材料と永続的に密接に接触した粗面状の周囲部分の表面を持ち、前記表面が均一に間隔を空けた複数のリブ（１４０）によって規定され、前記リブ（１４０）がアクセス通路（１６２）の長手軸に平行であり、粗面状の周囲部分の表面の接触表面の実際と見かけ上の比が少なくとも３である、密封容器。
【請求項１１】
前記ベース部材（１３４）が、前記スロート部分（１４２）の中に固定されたベースと、前記ベースから一体に延びてアクセス開口部（１４８）を規定するステム（１４６）とを含み、前記の複数エントリのクロージャ部材（１３６）が、つかみ部分（１５３）およびつかみ部分（１５３）から一体に延びてアクセス通路（１６２）を規定するステム（１５８）を含み、前記クロージャ部材（１３６）の前記ステム（１５８）が、前記ベース部材（１３４）の前記ステム（１４６）に取り外し可能な状態で固定されることを特徴とする、請求項１０に記載の容器。
【請求項１２】
前記ベース部材（１３４）の前記ステム（１４６）が内部表面（１５０）を含み、該内部表面（１５０）が周囲に円形に螺旋状に広がる、間隔をおいた１組のねじ山（１５１、１５２）を持ち、前記クロージャ部材（１３６）の前記ステム（１５８）が外部表面を含み、該外部表面が外側に突出し、周囲に部分的に円形に広がる１組のリップ（１７２、１７４）を持ち、前記リップ（１７２、１７４）が、前記ベース部材（１３４）および前記複数エントリのクロージャ部材（１３６）が互いに取り外し可能な状態で固定されるときに、前記の１組のねじ山（１５１、１５２）の間に噛み合わされることを特徴とする、請求項１１に記載の容器。
【請求項１３】
前記ベース部材（１３４）の前記ステム（１４６）、および前記クロージャ部材（１３６）の前記ステム（１５８）が、互いに接触するルーア・テーパ付き部分（１５６、１６６）を持つことを特徴とする、請求項１２に記載の容器。
【請求項１４】
前記複数エントリのクロージャ部材（１３６）を覆う前記スロート部分（１４２）と一体になって取り外し可能なオーバーキャップ（１８２）をさらに備え、前記オーバーキャップ（１８２）が、前記複数エントリのクロージャ部材（１３６）を取り囲む周辺のこわれやすいウェブ（１８４）を輪郭とすることを特徴とする、請求項１０に記載の容器。
【発明の詳細な説明】
【０００１】
【産業上の利用分野】
本発明は、密封されてブロー成形された容器のスロート部分のクロージャの改善に関する。より具体的には、ブロー成形、充填、密封された、そのようなクロージャを含む容器の構造に関する。
【０００２】
【従来の技術】
密封容器は、いわゆるブロー／充填／密封技術によって容易に生産することができる。こうした技術を利用して、容器本体を、まず押し出しパリソン・セグメント（ｐａｒｉｓｏｎ  ｓｅｇｍｅｎｔ）からブロー成形し、その後、所望の液体または固体の内容物を詰め（または充填し）、その後ただちに、予備成形されたインサートによって容器のネックとスロート部分を密封する。その間に、挿入されて予備成形されたクロージャ・サブアセンブリの周囲の、容器のネックとスロート部分に、パリソン・セグメントをさらに成形する。たとえば、Ｗｅｉｌｅｒの米国特許第４５９６１１０号に開示された容器構造を参照されたい。
【０００３】
このようなブロー、充填、密封という容器成形手順の結果としてできる密封容器構造、特に前記特許に示されたような取り外し可能なオーバーキャップを持つものは、きわめて有用であり、すでに広く使用されている。しかし、比較的極端な一定の使用条件においては、予備成形されて挿入されたクロージャが、容器のスロート部分を形成する材料との噛み合いからはずれたり緩むことがある。このようにしてはずれると、容器の内容物による環境汚染の危険を生じるばかりか、インサートを保護するオーバーキャップを回して容器を開けて容器の内容物を使用しようとする場合に、配給の問題を生じる可能性もある。このような極端な使用条件の例は、挿入されたクロージャに加わる過剰なトルク、または容器の縦軸以外の方向に加わる過剰な力である。
【０００４】
このような緩みの問題を克服するための実用的な手段が必要であり、熱心に追求されてきたが、実現は容易ではなかった。しかし、本発明は、この問題の実際的な解決法を提供するものであり、密封されて成形された容器とともに予備成形された様々なインサートの利用を可能にするものである。
【０００５】
【発明が解決しようとする課題】
本発明は、熱可塑性の材料から形成された容器のネック部分に恒久的に受けられる予備成形されたクロージャ・インサート（ｃｌｏｓｕｒｅ  ｉｎｓｅｒｔ）を企図する。そのインサートは粗面をもつその周囲に設けられ、その粗面によってインサートと容器のネックまたはスロート部分の内部表面との接触面積が増えることを特徴とする。前記粗面は、ほぼ軸方向に延び円周方向に隔置されたリブのバンドの形をとることができ、ぎざぎざ、のこぎり歯状、波状、または他の粗面とすることができる。
【０００６】
クロージャ・インサートは、貫通可能な膜があるノズル、または貫通可能な膜がないノズル、あるいは２つ以上の部分からなるサブアセンブリのような一体成形品とすることができる。
【０００７】
本発明を実施した容器は、熱可塑性材料で作られており、一方の端にアクセスの開口部を規定し、それと一体となったネック部分で終わっており、さらに開いたスロート部分を規定する、本体部分を備える。粗面状の周囲部分の表面を持つ前述の種類のクロージャ・インサートは、開いたスロート部分のなかにあり、ネック部分を規定する熱可塑性材料と接する密封部分にある。容器のネック部分と一体となったカバー構造は、クロージャ・インサートを包み込み、ネック部分からこわれやすいウェブを輪郭とする取り外し可能なオーバーキャップによって構成される。こわれやすいウェブは、粗面状の周囲部分の表面より上のインサート部品と隣接して、配給用の開口部またはノズルを接触による汚染から防止する。
【０００８】
【実施例】
図１と図２に示される通り、本発明を実施した密封された熱可塑性容器１０は、ネック部分および本体部分と一体になったスロート部分１４を規定するネック部分で終わる本体部分１２と、スロート部分１４と一体になっていてこわれやすいウェブ１８を輪郭とする取り外し可能なオーバーキャップ１６とを含む。スロート部分１４に入れられるのは、キャップ２２および中空の本体２４によって構成される（図２と図４）クロージャ・インサート２０であり、開いた軸方向のアクセス通路２６を容器本体部分１２に対して規定する。中空の本体２４は、粗面状の周囲部分の表面２８のバンドを備え、そのなかに熱可塑性の材料が成形されて、そこから容器１０が製造される。
【０００９】
熱可塑性の材料は、高密度ポリエチレン、低密度ポリエチレン、ポリプロピレンなど、所期の容器の内容物に適合する従来の成形材料でよい。本発明を実施した容器は、広範囲の形状や容量を持つことができる。
【００１０】
本発明によって企図するクロージャ・インサートは、たとえば注入成形によって予備成形し、所期の最終目的に応じて広範囲の配給の構成を持つことができる。下記に詳細に論じるように、単体のインサートおよびサブアセンブリが企図されている。しかし、すべての例において、クロージャ・インサートは、たとえば、リブ付き、ぎざぎざ、のこぎり歯状などの粗面状の周囲部分を備える。それによって成形中に熱可塑性容器の材料と密接な接触をする表面積が増える。粗面の感触が粗いのは、隆起または突起が存在するためである。中程度に柔らかい熱可塑性容器材料は、成形中にこれらの隆起または突起を包み込み、効率的にインサートを容器のスロートまたはネックの中に固定する。
【００１１】
クロージャ・インサート２０の粗面状の外側周囲部分の表面２８は、図２と図３と図４に示されており、相当に均一な間隔をおいたリブ３０の形になっており、一般的にアクセス通路２６の縦軸と平行である。図３によく示されている通り、容器のスロート部分１４の熱可塑性材料は、隣接するリブ３０の間の間隔またはチャネル２９を完全に満たし、成形中にクロージャ・インサート２０とスロート部分１４の間に恒久的な密封を形成することによってインサートを固定する。さらに、クロージャ・インサートの粗面状の周囲部分の表面によって、成形中に材料がインサートのあたりで圧縮されるときに、より多くの熱可塑性材料が容器のスロート部分に保持される。これによって同様に、インサートのあたりの容器の壁が厚くなり、これによって、のちに容器を使用するために開けるときにクロージャ・インサートが外れないように、スロート部分が硬く強化される。
【００１２】
クロージャ・インサートの粗面状の周囲部分の表面によって、両者の間の実際の接触表面積は、見かけ上の接触表面積よりもかなり大きくなる。接触表面積の実際と見かけ上の比は、少なくとも約３であることが好ましい。
【００１３】
クロージャ・インサート２０は、密封アクセス通路２６に関する取り外し可能なキャップ２２を含むサブアセンブリである。キャップ２２も、リブのある外部の表面を備え、その中にオーバーキャップ１６の一部が成形される。それによってキャップ２２がオーバーキャップ１６と密接に接触するので、こわれやすいウェブ１８が切断された場合にオーバーキャップ１６とともに取り外すことができる。一方、キャップ２２を残して、オーバーキャップ１６を取り外す最中およびその後に密封されるアクセス通路２６を維持することが好ましい場合は、オーバーキャップ１６は既知の方法で中空の構成で成形される。それによって、容器が製造されるときにキャップ２２との間隔が保たれる。
【００１４】
後者の場合は、いくつかの方法で容器の内容物にアクセスすることができる。すなわち、図４に示される通りにキャップ２２をステム（ｓｔｅｍ）３２から取り外すか、あるいはドレインスパイク（ｄｒａｉｎｉｎｇ  ｓｐｉｋｅ）またはカニューレを使用してキャップの凹み３６中で膜またはウェブ３４を貫通する。ステム３２は、コントロールされた内部または外部あるいはその両方の直径と、ルーア・テーパ（ｌｕｅｒ  ｔａｐｅｒｓ）と、同様の特徴とを持つことによって、他のレセプタクルまたは配給器具を用いて相互接続を容易にすることができる。
【００１５】
キャップ２２をステム３２から取り外ずさないで容器の内容物に複数エントリを行う場合は、ゴムなどの弾性材料３８を使用してキャップを満たすことができる。キャップ４２は、図５に示されており、図２と図４に示されたキャップ２２とはその他のすべての点で同じである。
【００１６】
予備成形したクロージャ・インサート２０を、容器製造中に熱可塑性容器に挿入することは、参考図である図６と図７に示されている。押し出しパリソン・セグメント４５は、たとえば米国特許４９０１８７３号に記述されているように、容器の本体部分１２が既知の方法で形成されるとき、主型半体５１と５３の間の位置で、真空支援の支持あご４７と４９によって支持される。その後、予備成形されたクロージャ・インサート２０を図６に示す通りに配置する。次に、密封型半体５５と５７を互いに内向きに移動させて（図７）、クロージャ・インサート２０の周囲の残りの上のパリソンを圧縮する。それによってスロート部分１４よびオーバーキャップ１６を形成し、その間に、パリソンの熱可塑性の材料を隣接する縦方向のリブ３０の間隙に押し込む。このようにして、クロージャ・インサートは効率的かつ迅速にスロート部分１４の中に恒久的に固定される。
【００１７】
図８ないし図１２に、本発明を利用して供給されるさまざまな種類のクロージャ・インサートを示す。
【００１８】
図８が示す通り、クロージャ・インサート６０は、中空のほぼ円筒形のセグメントであり、その周囲で間隔をおいて縦に延びるリブ６２を備える。貫通可能なノンコアリングの膜６４は、インサート６０を横切って延び、アクセス通路６６を密封する。複数エントリの適用例では、ゴム組成物７０が、外側の凹み６８を満たす。中空のオーバーキャップ７２は、スロート部分と一体であり、貫通可能なインサート６０を汚染から保護する。オーバーキャップ７２は、ウィング７６と７８をつかんで回してこわれやすいウェブ８０を破壊することによって、取り外すことができる。
【００１９】
図９は、ねじ式の保護キャップ８６を装備したノズル８４を備えるクロージャ・インサート・サブアセンブリ８２を示す。ノズル８４のベース８８は、スロート部分９０と密接に接触して周辺の間隔をおいたリブ８５を備える。中空のオーバーキャップ８９は、容器のスロート部分９０と一体であり、こわれやすいウェブ９２によってそれに結合されている。オーバーキャップ８９の上のウィングまたはタブ９１と９３は、容器の内容物を配給するためノズル８４の準備をするときに、特に老人や関節炎患者による操作を容易にするものである。
【００２０】
図１０は、いくつかの相互接続手段を備えた提供されるクロージャ・インサートを示す。具体的には、クロージャ・インサート９４は、ルーア・フィッティング（ｌｕｅｒ  ｆｉｔｔｉｎｇ）を受け入れるためのルーア・テーパなどの、コントロールされた内部直径を持つアクセス開口部９８を規定する中空のステム９６を備える。ステム９６は、例えば図１１に示されたタイプなどのルーア・ロック・スレッドに噛み合う寸法の外側に広がるラグ１００と１０２において終わる。インサート９４のベース９９は、容器のスロート部分の熱可塑性の材料と係合し、間に熱可塑性の材料のいくらかを受け入れるための、軸方向に整列した、間隔をあけた複数のリブ１０１を周囲に備えている。
【００２１】
図１１は、リブのあるベース１０７を持ち、皮下注射針１１７の上のハブ１１５の上のラグ１１１と１１３の噛み合いに関して内部スレッド１０９を装備した、雄ルーア・ロック・コネクタ（ｌｕｅｒ  ｌｏｃｋ  ｃｏｎｎｅｃｔｏｒ）１０５を示す。リブのあるベース１０７は、両者間にチャネルまたは間隔１１０のある、複数の間隔をおいた相当に平行なリブ１０８とともに提供される。リブ１０８は、共通の固体の周辺のバンドまたはそれと一体になったベース１０７の上の部分におけるリング１１６に吸収される。必要に応じて、ルーア・ロック・コネクタ以外の装備品を同様の方法で提供して、容器の内容物の配給を容易にすることができる。たとえば、コネクタ１０５の外側の表面１０６は、はめあい関係において管の一方の端を受け取ることができる。
【００２２】
図１２は、図１１と同じ構成のリブのあるベース１２１を持ち、熱可塑性容器１２２のスロート部分１２０に埋め込まれた、スパイク・コネクタ１１９を示す。トランスファ・スパイク１２４は、ガイド・スカート１２６に取り巻かれる。ガイド・スカート１２６は、ストッパつき容器１３０をトランスファ・スパイク１２４から反対に移動させるときに、トランスファ・スパイク１２４がストッパつき容器１３０に貫通することを容易にして、内容物を排出する。
【００２３】
図１３から図１６までは、ベース部材１３４と、複数エントリのクロージャ部材１３６などの取り外し可能なクロージャ部材とを含むサブアセンブリの形で、クロージャ・インサート１３２を示す。
【００２４】
図１３と図１４が示す通り、ベース部材１３４は、実質的に円筒形であり、円筒形のスカート部分１３８を含む。スカート部分１３８は、容器のスロート部分１４２の中に固定されて、周辺に間隔をおいて縦に配置されたリブ１４０によって規定されるような粗面状の周囲部分の表面とともに提供される。そのリブ１４０は、スロート部分１４２と密接に接触して、スカート部分１３８の周囲に円形に広がる。リブ１４０は、スカート部分１３８の上の部分において、共通の固体の周辺のバンドまたはリング１４４に吸収されて、それと一体である。ベース部材１３４は、リング１４４から上に広がり、一体になった中空の円筒形のステム１４６とともにさらに提供される。円筒形のステム１４６は、アクセス開口部１４８を規定する（図１５）。
【００２５】
ステム１４６は、内部表面１５０も含み、その中で２つのスレッド１５１と１５２が形成されて、それが内部表面１５０の部分の周囲に円形に螺旋状に広がる（図１５）。より具体的には、図１３と図１６に示される通り、スレッド１５１と１５２は、互いに間隔があり、スレッド１５１は内部表面１５０のほぼ半分の周囲に円形に螺旋状に広がり、スレッド１５２は内部表面１５０の反対側の半分の周囲に円形に螺旋状に広がる。内部にスレッドを形成したステム１４６も、図１１と同様の方法で皮下注射針を受け取るように適応したルーア・ロックを規定する。
【００２６】
内部表面１５０は、さらに、アクセス開口部１４８に隣接したルーア・テーパ付き部分などの、円錐台状のテーパ付き部分１５６（図１５）を含む。テーパ付き部分１５６は、アクセス開口部１４８から、ステム１４６の内部表面１５０の内側に集中する。
【００２７】
複数エントリのクロージャ部材１３６は、相当に円筒形であることが好ましく、中空の相当に円筒形のつかみ部分１５３を備えており、周辺に円形に広がって間隔をおいて縦に配置されたリブ１５４とともに提供される。クロージャ部材１３６は、つかみ部分１５３の端から下に広がる、中空の相当に円筒形のステム１５８（図１５）とともにさらに提供される。図１３と図１６に示される通り、ステム１５８は、アクセス通路１６２を規定する、内部の円筒形の表面１６０を持つ。さらに、ステム１５８は、円錐台状のテーパ付き部分１６６（図１５）のある外側の表面を持つ。これはテーパ付き部分１５６を補うルーア・テーパ付き部分になることが可能で、つかみ部分１５３の端から下に向かって集中する。円筒形のステム部分１６８（図１５）は、テーパ付き部分１６６から下に向かって広がり、ステップ１７０（図１５）によってそこから分離される。１組の正反対に位置するリップ（ｌｉｐ）またはリッジ（ｒｉｄｇｅ）１７２と１７４は、円筒形のステム部分１６８の外側の表面から、放射状に外側に突出して、その円周に部分的に広がる。より具体的には、リップ１７２はステム部分１６８の一方の側の部分の周囲に円形に広がり、リップ１７４はステム部分１６８のリップ１７２とは正反対に位置する側の周囲に円形に広がる。貫通可能なノンコアリング（ｎｏｎ−ｃｏｒｉｎｇ）の膜１７６は、つかみ部分１５３にわたって提供されて、アクセス通路１６２を密封する。弾性の自己密封の構成物１７８は、複数エントリの適用に関して、つかみ部分１５３における外側の凹み１８０を満たす。
【００２８】
中空のオーバーキャップ１８２は、容器のスロート部分１４２と一体であり、クロージャ部材１３６を汚染から保護する。オーバーキャップ１８２は、こわれやすいウェブ１８４によってスロート部分１４２に接続されており、ウィングまたはタブ１８６と１８８とともに提供されてその取り外しを容易にする。
【００２９】
図１３と図１５によく示されている通り、クロージャ部材１３６は、ベース部材１３４に固定される。より具体的には、クロージャ部材１３６のステム１５８は取り外し可能な状態で受け取られて、ベース部材１３４のステム１４６の内部表面１５０の中に固定される。ステム１５８の上のリップ１７２と１７４は、ベース部材１３４のスレッド１５１と１５２とともに作用して、ベース部材１３４と１３６の間の差し込みロックを提供する。さらに、ステム１５８の上のテーパ付き部分１６６は、ステム１４６の上のテーパ付き部分１５６を摩擦によって噛み合わせる。
【００３０】
もちろん当然のことながら、本明細書に開示される差し込みロックとルーア・ロックの接続方法は、ベース部材１３４と１３６などの部材をともに取り外し可能な状態で固定するためのいくつかの既知の方法のうちの２つにすぎないし、そうした他の方法は本発明の範囲内に収まる。
【００３１】
本発明のこの代替実施例によれば、容器の内容物の配給を可能にするためには、オーバーキャップ１８２は容器から最初に取り外される。すなわち、ウィング１８６と１８８をつかんで回して、こわれやすいウェブ１８４をはずす。容器の内容物は、その後、いくつかの異なる方法で配給することができる。まず、複数エントリのクロージャ部材１３６の膜１７６を通して、注射器またはスパイクを使用して内容物を取り出すことができる。あるいは、ベース部材１３４から複数エントリのクロージャ部材１３６を回しはずして取り外すことによって、ベース部材１３４を通して内容物を排出することができる。さらに、内容物の一部だけが取り出されたまたは排出された場合は、オーバーキャップ１８２を、それぞれ内容物を汚染から保護するために、クロージャ部材１３６またはベース部材１３４の頂上に置き換えることができる。さらに、皮下注射針をベース部材１３４に適合させて、内容物を針から配給することができる。
【００３２】
前記の記述および図面は説明のためのものであり、本発明を限定するものではない。本発明の意図と範囲を利用することによって、さらにその他のクロージャ・インサートの構成が可能であり、そうした構成は当業者に容易に提示されることになる。
【図面の簡単な説明】
【図１】本発明の容器構造の、ブロー成形して充填して密封した構成の１実施例の透視図である。
【図２】図１の立面図の容器構造の拡大した断片的な断面図である。
【図３】図２の平面３−３に沿った断面図である。
【図４】図２と同様の図であるが、すべての部分が断面図であり、オーバーキャップを壊して取り外し、クロージャ・サブアセンブリを分解した。
【図５】貫通可能な複数エントリの膜を備えるキャップの拡大透視図である。
【図６】クロージャ・インサートのサブアセンブリが容器のスロート部分に位置する、部分的に成形したパリソンの断面を示す立面図。
【図７】クロージャ・インサートのサブアセンブリの周囲に完全に成形したパリソンの断面を示す、図６と同様の立面図である。
【図８】本発明の容器構造の別の実施例を示す、断片的な立面図である一部が断面。
【図９】断片的な立面図であり、一部が断面になっており、本発明の容器構造のさらに別の実施例を示す。
【図１０】本発明の実施にふさわしいインサートの透視図であり、外部ラグとともに提供される雄ルーア・ロック・コネクタを示す。
【図１１】側面の立面図であり、一部が断面になっており、雄ルーア・ロック・コネクタまたは、皮下注射針の噛み合わせに関する内部スレッドとともに提供される同類のものを示す。
【図１２】側面の立面図であり、一部が断面になっており、ガイド用のスカートに囲まれて、さらに本発明による粗面状の周囲部分の表面とともに装備されたスパイクを示す。
【図１３】断片的な立面図であり、一部が断面になっており、本発明の容器構造のさらに別の実施例を示す。
【図１４】図１３に示すクロージャ・インサートの透視図である。
【図１５】図１３と図１５に示すクロージャ・インサートのベース部材と複数エントリのクロージャの部材の透視図と分解図である。
【図１６】図１３の平面１６−１６に沿った断面図である。
【符号の説明】
１０  容器
１２  本体部分
１４  スロート部分
１６  オーバーキャップ
２０  クロージャ・インサート
【図１】
0004246800.tif 000002
【図２】
0004246800.tif 000003
【図３】
0004246800.tif 000004
【図４】
0004246800.tif 000005
【図５】
0004246800.tif 000006
【図６】
0004246800.tif 000007
【図７】
0004246800.tif 000008
【図８】
0004246800.tif 000009
【図９】
0004246800.tif 000010
【図１０】
0004246800.tif 000011
【図１１】
0004246800.tif 000012
【図１２】
0004246800.tif 000013
【図１３】
0004246800.tif 000014
【図１４】
0004246800.tif 000015
【図１５】
0004246800.tif 000016
【図１６】
0004246800.tif 000017